(57)【要約】【課題】集積部において、凹カール状の写真画像印刷物および凸カール状の写真画像印刷物の双方について、集積不良を生じさせることなく、適切な量の写真画像印刷物を正しい順序で集積させること。【解決手段】印刷物の排出機構３は写真画像印刷物Ｐ１，Ｐ２の投入口３ｂを有する内側壁６１と、内側壁６１に対向するとともに取出口６３を有する外側壁６２と、集積板３ｃとを有する印刷物排出ダクト６０と、印刷物排出ダクト６０内に配置されたガイド板６９とを備えている。集積板３ｃ上に外側壁６２から内側壁６１へ向って下方へ傾斜するとともに、凹カール状の写真画像印刷物Ｐ１が当接する低摩擦部材６８が設けられている。内側壁６１の下方部に、内側壁６１から外側壁６２へ向って下方へ傾斜するとともに、凸カール状の写真画像印刷物Ｐ２が当接する高摩擦部材６４が設けられている。【選択図】図３
2014122107.tif 000002
【特許請求の範囲】
【請求項１】
印刷物の排出機構において、
印刷物が投入される投入口を有する内側壁と、内側壁に対向して設けられるとともに取出口を有する外側壁と、内側壁の下端と外側壁の下端とを連結する集積板とを有する印刷物排出ダクトと、
内側壁に設けられ、投入口から投入される印刷物を下方へ向けるガイド板とを備え、
集積板上に外側壁から内側壁へ向って下方へ傾斜する低摩擦部材を設け、
内側壁の下方部に、内側壁から外側壁へ向って下方へ傾斜する高摩擦部材を設け、
凹カール状の印刷物が投入口から投入された際、当該凹カール状の印刷物はその下端が低摩擦部材に当接し、当該下端が低摩擦部材を内側壁側へ滑った後、下端を中心として回転して低摩擦部材上へ載置され、
凸カール状の印刷物が投入口から投入された際、当該凸カール状の印刷物はその下端が高摩擦部材に当接し、当該下端を中心として回転して低摩擦部材上へ載置されることを特徴とする印刷物の排出機構。
【請求項２】
低摩擦部材は印刷物の幅方向に沿って設けられた複数本の部材からなることを特徴とする請求項１記載の印刷物の排出機構。
【請求項３】
低摩擦部材は敷居すべりからなることを特徴とする請求項１または２記載の印刷物の排出機構。
【請求項４】
高摩擦部材は印刷物の幅方向中央に設けられた単一の部材からなることを特徴とする請求項１乃至３のいずれか記載の印刷物の排出機構。
【請求項５】
高摩擦部材は発泡ゴムからなることを特徴とする請求項１乃至４のいずれか記載の印刷物の排出機構。
【発明の詳細な説明】
【技術分野】
【０００１】
本発明は印刷物の排出機構に係り、とりわけ印刷物をスムースに落下させることができ、かつ集積部において印刷物の集積不良を防止することができる印刷物の排出機構に関する。
【背景技術】
【０００２】
従来より写真画像プリントシステムとして、天板と、背面側板と、一対の側方側板と、底板とを有する筐体と、筐体の天板上に配置され、デジタルメディア挿入口を有するパーソナルコンピューター（ＰＣ）本体と、ディスプレイとを有するＰＣと、筐体内に収納されたプリンタおよび課金システムとを備えたものが知られている。
【０００３】
使用にあたって操作者は、ＰＣ本体のデジタルメディア挿入口に必要な画像情報を格納したデジタルメディア、例えばＳＤ（ｓｅｃｕｒｅ  ｄｉｇｉｔａｌ）カード、ＣＤ−ＲＯＭ等を挿入し、ディスプレイ上で必要な情報を入力する。
【０００４】
その後、操作者は課金システムに接続された筐体の前扉側から料金を支払う。操作者が料金を支払った後、プリンタが写真画像をプリントして写真画像印刷物を作成し、この写真画像印刷物は前面扉に設けられた印刷物の排出機構を介して排出されて集積部に集積され、その後集積部上の印刷物は外方へ取出される。
【０００５】
このように写真画像印刷物は前面扉に設けられた印刷物の排出機構から排出されるが、排出機構の集積部に印刷物が垂直方向に立って集積されることがあり、この場合は集積部内に写真画像印刷物を適切な量だけ正しい順序で集積することや、操作者が取り出しやすいように集積することができないという問題が生じる。ここで、前述の「正しい順序」とは、プリンタから排出された印刷物の順番を保持すると共に、印刷物の表裏の面の向きおよび縦横の縁の向きが揃っている状態のことを言う。
【０００６】
このような問題を解決するものとして、印刷物の排出機構内に印刷物の表裏の面の向きを揃える構造を設けたものが開発されている（特許文献１参照）。
【０００７】
ところで一般に、プリンタから印刷物の排出機構側に排出された印刷物は、巻きぐせ等の影響でカールしていることが多く、このような印刷物は排出機構側に向って凹状をなす凹カール状の印刷物と、排出機構側に向って凸状をなす凸カール状の印刷物の２通りに分けられる。
【０００８】
しかしながら、上記特許文献１に示される印刷物の排出機構は、凹カール状の印刷物および凸カール状の印刷物の双方を適切に正しい順序で集積することは考慮していない。このため、例えば凹カール状の印刷物を正しい順序で集積することができても、凸カール状の印刷物については正しい順序で集積できないこともある。
【先行技術文献】
【特許文献】
【０００９】
【特許文献１】特開２０１２−１７１７３号公報
【発明の概要】
【発明が解決しようとする課題】
【００１０】
本発明はこのような点を考慮してなされたものであり、凹カール状の印刷物および凸カール状の印刷物の双方について、これらの印刷物をスムースに集積部まで導くことができ、かつ集積部における印刷物の集積不良を防止し、プリンタから排出された印刷物の順番を保持すると共に、印刷物の表裏の面の向きおよび縦横の縁の向きを揃えることができる印刷物の排出機構を提供することを目的とする。
【課題を解決するための手段】
【００１１】
本発明は、印刷物の排出機構において、印刷物が投入される投入口を有する内側壁と、内側壁に対向して設けられるとともに取出口を有する外側壁と、内側壁の下端と外側壁の下端とを連結する集積板とを有する印刷物排出ダクトと、内側壁に設けられ、投入口から投入される印刷物を下方へ向けるガイド板とを備え、集積板上に外側壁から内側壁へ向って下方へ傾斜する低摩擦部材を設け、内側壁の下方部に、内側壁から外側壁へ向って下方へ傾斜する高摩擦部材を設け、凹カール状の印刷物が投入口から投入された際、当該凹カール状の印刷物はその下端が低摩擦部材に当接し、当該下端が低摩擦部材を内側壁側へ滑った後下端を中心として回転して低摩擦部材上へ載置され、凸カール状の印刷物が投入口から投入された際、当該凸カール状の印刷物はその下端が高摩擦部材に当接し、当該下端を中心として回転して低摩擦部材上へ載置されることを特徴とする印刷物の排出機構である。
【００１２】
本発明は、低摩擦部材は印刷物の幅方向に沿って設けられた複数本の部材からなることを特徴とする印刷物の排出機構である。
【００１３】
本発明は、低摩擦部材は敷居すべりからなることを特徴とする印刷物の排出機構である。
【００１４】
本発明は、高摩擦部材は印刷物の幅方向中央に設けられた単一の部材からなることを特徴とする印刷物の排出機構である。
【００１５】
本発明は、高摩擦部材は発泡ゴムからなることを特徴とする印刷物の排出機構である。
【発明の効果】
【００１６】
以上のように本発明によれば、凹カール状の印刷物が投入口から投入された際、凹カール状の印刷物はその下端が低摩擦部材に当接し、当該下端が低摩擦部材を内側壁側へ滑った後、下端を中心として回転して低摩擦部材上へ載置される。凸カール状の印刷物が投入口から投入された際、凸カール状の印刷物はその下端が高摩擦部材に当接し、当該下端を中心として回転して低摩擦部材上に載置される。このため凹カール状の印刷物および凸カール状の印刷物の双方について、印刷物が集積板において垂直方向を向いて集積されることはなく、集積板上で印刷物の集積不良が発生することもない。このため適切な量の印刷物を順番通りに、すなわち、プリンタから排出された印刷物の順番を保持すると共に、印刷物の表裏の面の向きおよび縦横の縁の向きを揃えた状態で集積板上で集積することができる。
【図面の簡単な説明】
【００１７】
【図１】図１は本発明による印刷物の排出機構が組込まれた写真画像プリントシステムを前方側からみた概略斜視図。
【図２】図２は便宜上操作テーブルを取外した場合において、プリンタ側の第１前面扉を開いた状態を示す写真画像プリントシステムを示す図。
【図３】図３は本発明による印刷物の排出機構を示す側面図。
【図４】図４は本発明による印刷物の排出機構の作用を示す図。
【図５】図５は本発明による印刷物の排出機構の作用を示す図。
【図６】図６は低摩擦部材を示す正面図。
【図７】図７は高摩擦部材を示す正面図。
【発明を実施するための形態】
【００１８】
以下、図面を参照して本発明による印刷物の排出機構について説明する。
【００１９】
まず本発明による印刷物の排出機構が組込まれた写真画像プリントシステムについて説明する。
【００２０】
図１および図２は写真画像プリントシステムの一実施の形態を示す図である。
【００２１】
ここで図１は写真画像プリントシステムを前方側からみた概略斜視図であり、図２は便宜上操作テーブルを取外した場合において、プリンタ側の第１前面扉を開いた状態を示す写真画像プリントシステムを示す図である。
【００２２】
図１および図２に示すように、本発明による写真画像プリントシステムは、天板１１ａと、一対の側方側板１１ｂ，１１ｂと、背面側板１１ｃと、底板１１ｄとを有する筐体１１と、筐体１１の天板１１ａ上であって左右方向の一側（図２の左側）５０ａの後方に配置されたパーソナルコンピューター（ＰＣ）２０と、筐体１１内に収納された２台のプリンタ２ａ，２ｂおよび課金システム８とを備えている。
【００２３】
このうち筐体１１は上述のように天板１１ａと、一対の側方側板１１ｂ，１１ｂと、背面側板１１ｃと底板１１ｄとを有し、筐体１１には筐体１１内をプリンタ２ａ，２ｂを収納するプリンタ収納領域６ａと、課金システム８を収納する課金システム収納領域６ｂとに区画する仕切板７が設けられている。
【００２４】
そして筐体１１の天板１１ａ上の一側５０ａは、プリンタ収納領域６ａに対応している。また筐体１１の天板１１ａ上の他側（図２の右側）５０ｂは、課金システム収納領域６ｂに対応し、上述のように２台のプリンタ２ａ，２ｂは上下方向に配置されてプリンタ収納領域６ａ内に収納され、課金システム８は課金システム収納領域６ｂ内に収納されている。
【００２５】
またＰＣ２０は、後述する画像情報が格納されたＳＤカード、ＣＤ−ＲＯＭ等のデジタルメディアが挿入されるデジタルメディア挿入口２１ａを有するＰＣ本体２１と、ＰＣ本体２１上に載置されたディスプレイ２２とを有している。
【００２６】
ところでＰＣ本体２１に接続されたプリンタ２ａ，２ｂは、高解像度カラープリンタである。昇華型あるいはインクジェット型などの方式は問わない。
【００２７】
また操作者はディスプレイ２２の画面２２ａを通してＰＣ本体２１に出力すべき注文内容を必要に応じて選択する。選択項目としては、モードの選択（実画像データの通常の出力を行うのか、シールプリントを行うのか、ＣＤ−Ｒ等の記録メディアへの書き込みを行うのか、等の指定）、さらに、実画像データの通常の出力等の場合には、複数コマ分の画像データを入力した場合、どの画像をプリントするのかの指定、プリント枚数やプリントサイズの指定等がある。なお、利用者は画像を出力する前に、一つ以上の画像データを指定して加工および合成編集することができる。
【００２８】
ところでこのような構成からなるＰＣ２０は、天板１１ａの一側５０ａの後方に配置され、天板１１ａの一側５０ａの前方には操作用テーブル１５が前後方向に移動自在に配置されている。
【００２９】
この操作用テーブル１５は操作者が写真画像プリントシステム１０のディスプレイ２２を操作する際、操作者の前方に位置して、操作者が操作中に腕、手等を載置することができる。
【００３０】
また操作用テーブル１５は操作用テーブル本体１５ａと、ＰＣ本体２１のデジタルメディア挿入口２１ａを有する操作用垂直板１５ｂとを有し、天板１１ａの一側５０ａ上に設けられたスライドレール１５ｃに沿って前後方向に移動することができる。また操作用テーブル１５に、デジタルメディア操作時の悪影響を除くために、静電気防止シートを貼付してもよい。
【００３１】
また天板１１ａの左右方向の他側５０ｂには、平板状の載置台１６が設けられている。この載置台１６には操作者が操作中に手荷物等を載置することができる。
【００３２】
また載置台１６は平板状のものに限られることはなく、表面にエンボスが付された台であってもよく、水平面に対して傾斜している台であってもよく、さらに表面が湾曲している台であってもよい。
【００３３】
すなわち、従来の写真画像プリントシステムでは、ＰＣが筐体の天板左右方向中央部に載置されているため、操作者は手荷物等を足元の床面上におくことになるが、本発明によれば、ＰＣ２０が天板１１ａの一側５０ａ上に設けられ、天板１１ａの他側５０ｂに載置台１６が設けられているため、操作者は手荷物等を載置台１６上に載置することができる。このように操作者は手荷物等を載置台１６上に載置することができるので、操作者にとって写真画像プリントシステムの操作性が向上する。
【００３４】
なお、天板１１ａの一側５０ａに設けられた操作用テーブル１５の高さは、天板１１ａの他側５０ｂに設けられた載置台１６の高さより高くなっている。このため操作者は載置台１６を操作用テーブル１５から明瞭に区別することができ、当該載置台１６上に間違いなく手荷物等を載置することができる。
【００３５】
また載置台１６の前方側にはカサ立て用の凹部１７が形成され、この凹部１７内にスポンジ材１７ａが挿着されている。操作者はこのカサ立て用の凹部１７内にカサの把持部を引掛けることができる。このとき凹部１７内のスポンジ材１７ａはカサの把持部により押圧されて、凹部１７内へ引込む。このようにカサの把持部を凹部１７内に引掛けることにより、カサが載置台１６からずり落ちることはない。
【００３６】
他方、操作者がカサ立て用の凹部１７を使用しない場合、スポンジ材１７ａは元の形に戻って凹部１７内を埋めるので、凹部１７内にゴミ等が混入することはない。
【００３７】
ところで、筐体１１の天板１１ａ上に配置されたＰＣ２０を覆ってＰＣ囲い体２５が設けられている。
【００３８】
また、図１および図２に示すように、筐体１１の前面側には、プリンタ収納領域６ａ側に位置する第１前面扉１２ａと、課金システム収納領域６ｂ側に位置する第２前面扉１２ｂとが開閉自在に設けられている。
【００３９】
これら第１前面扉１２ａと第２前面扉１２ｂは観音開き構造をもち、いずれも筐体１１の前面側に配置されている。
【００４０】
また第１前面扉１２ａの前面には、透明な開閉扉１２ｃが開閉自在に設けられている。さらに第１前面扉１２ａの裏面には、２台のプリンタ２ａ，２ｂによりプリントされた写真画像印刷物を排出する本発明による印刷物の排出機構（排出部）３が設けられている。
【００４１】
次に図２乃至図７により、本発明による印刷物の排出機構３について説明する。
【００４２】
ここで図２は便宜上操作テーブルを取外した場合において、プリンタ側の第１前面扉を開いた状態の写真画像プリントシステムを示す図であり、図３は本発明による印刷物の排出機構を示す側面図である。
【００４３】
図２および図３に示すように、印刷物の排出機構３は上方のプリンタ２ａからの写真画像印刷物が投入される上方投入口３ａと、下方のプリンタ２ｂからの写真画像印刷物が投入される下方投入口３ｂとを有する内側壁６１と、内側壁６１に対向して設けられるとともに取出口６３を有する外側壁６２と、内側壁６１の下端と外側壁６２の下端を連結する集積板３ｃと有する印刷物排出ダクト６０と、印刷物排出ダクト６０内に配置され、第１ガイド板６５と、第２ガイド板６６と、第３ガイド板６９とからなる複数のガイド板６５，６６，６９とを備えている。このうち第１ガイド板６５と第２ガイド板６６は上方のプリンタ２ａから上方投入口３ａへ投入される写真画像印刷物を集積板３ｃ側へ導くものであり、第３ガイド板６９は下方のプリンタ２ａから下方投入口３ｂへ投入される写真画像印刷物を集積板３ｃ側へ導くものである。
【００４４】
また、印刷物排出ダクト６０内に排出路６０ａが形成されている。
【００４５】
ここで印刷物排出ダクト６０側に向って凹状をなす凹カール状の写真画像印刷物を写真画像印刷物Ｐ１とし、印刷物排出ダクト６０側へ向って凸状をなす凸カール状の写真画像印刷物を写真画像印刷物Ｐ２とする。
【００４６】
上述のように、内側壁６１には、上方プリンタ２ａからの写真画像印刷物Ｐ１，Ｐ２が投入される上方投入口３ａと、下方プリンタ２ｂからの写真画像印刷物Ｐ１，Ｐ２が投入される下方投入口３ｂとが設けられている。
【００４７】
また外側壁６２はその下端部に取出口６３を有し、第１前面扉１２ａ側に位置している。このため第１前面扉１２ａに設置された開閉扉１２ｃを開くことにより、集積板３ｃ上に集結した写真画像印刷物Ｐ１，Ｐ２を外側壁６２の取出口６３を介して外方へ取出すことができる。
【００４８】
また上方投入口３ａから投入される写真画像印刷物Ｐ１，Ｐ２用の複数のガイド板６５，６６のうち、第１ガイド板６５は内側壁６１の上方投入口３ａを介して投入された写真画像印刷物Ｐ１，Ｐ２を内側壁６１側へ戻すものであり、第２ガイド板６６は第１ガイド板６５からの写真画像印刷物Ｐ１，Ｐ２の挙動を規制するものである。
【００４９】
また、内側壁６１の下方投入口３ｂ近傍には、内側壁６１の下方投入口３ｂを介して印刷物排出ダクト６０内に投入された写真画像印刷物Ｐ１，Ｐ２を下方へ向けて案内する第３ガイド板６９が設けられている。さらに集積板３ｃ上には、外側壁６２から内側壁６１側へ向って下方へ傾斜する低摩擦部材６８が設けられている。
【００５０】
さらにまた内側壁６１の下方部に、内側壁６１から外側壁６２側へ向って下方へ傾斜する高摩擦部材６４が設けられている。
【００５１】
このうち低摩擦部材６８は写真画像印刷物Ｐ１，Ｐ２の幅方向に沿って設けられた複数、例えば２本の部材６８ａ、６８ｂからなり、各々の部材６８ａ、６８ｂは敷居すべりからなっている（図６参照）。低摩擦部材６８は水平面に対して所定の傾斜角（例えば４０°）をもって傾斜している。
【００５２】
また高摩擦部材６４は、写真画像印刷物Ｐ１，Ｐ２の幅方向中央に設けられた単一の部材からなり、高摩擦部材６４は摩擦係数の高い材料、例えば発泡ゴム、エチレン‐プロピレンゴム（ＥＰＭ、ＥＰＤＭ）からなり、例えば日東電工株式会社製「エプトシーラー」からなっている（図７参照）。高摩擦部材６４も水平面に対して所定の傾斜角（例えば７５°）をもって傾斜している。
【００５３】
また集積板３ｃのうち、低摩擦部材６８と高摩擦部材６４との間の領域には、平坦部７０が形成されている。
【００５４】
本実施の形態によれば、凹カール状の写真画像印刷物Ｐ１が下方投入口３ｂから印刷物排出ダクト６０内に投入された場合、写真画像印刷物Ｐ１は第３ガイド板６９により下方へ案内される。写真画像印刷物Ｐ１はその後、その下端Ｐｔが低摩擦部材６８に当接し、当該下端Ｐｔが低摩擦部材６８上を内側壁６１側へ滑った後、平坦部７０へ達し、平坦部７０において下端Ｐｔを中心として回転して低摩擦部材６８上へ載置される。
【００５５】
また凸カール状の写真画像印刷物Ｐ２が下方投入口３ｂから印刷物排出ダクト６０内に投入された場合、写真画像印刷物Ｐ２は第３ガイド板６９により下方へ案内される。写真画像印刷物Ｐ２はその後、その下端Ｐｔが高摩擦部材６４に当接し、該当下端Ｐｔを中心として回転して、低摩擦部材６８上に載置される。
【００５６】
次にこのような構成からなる本実施の形態の作用について説明する。
【００５７】
まず操作者は図１に示す写真画像プリントシステム１０の前方に立って写真画像プリントシステム１０の操作を行う。このような操作に先立って操作者は、まず手荷物等を筐体１１の右側に位置する載置台１６上に載置する。また必要に応じて操作者はカサをカサ立て用の把持部を載置台１６の凹部１７内に引掛ける。
【００５８】
次に操作者は、ＰＣ２０のディスプレイ２２の画面２２ａに対して必要な操作を行う。この間画像情報が格納されたＳＤカード、ＣＤ−ＲＯＭ等のデジタルメディアを、ＰＣ本体２１に設けられたデジタルメディア挿入口２１ａ内に挿入するとともに、コイン投入口１８ａまたはお札投入口１８ｂから必要な料金を支払う。
【００５９】
操作者がディスプレイ２２の画面２２ａに対して必要な操作を行い、デジタルメディアをデジタルメディア挿入口２１ａ内に挿入し、かつ必要な料金を支払うことにより、ＰＣ２０のＰＣ本体２１が作動してプリンタ２ａ，２ｂを駆動制御する。このことによりプリンタ２ａ，２ｂによりプリントされた写真画像印刷物が得られ、この写真画像印刷物は第１前面扉１２ａに設けられた印刷物の排出機構３の下端部にある集積板３ｃ上に集積される。
【００６０】
次に印刷物の排出機構３の作用について詳述する。
【００６１】
まず上方プリンタ２ａにより作成された写真画像印刷物Ｐ１，Ｐ２は、図３に示すように、内側壁６１の上方投入口３ａから印刷物排出ダクト６０の排出路６０ａ内に投入される。次に写真画像印刷物Ｐ１，Ｐ２は第１ガイド板６５によって内側壁６１側へ戻され、また写真画像印刷物Ｐ１，Ｐ２は第２ガイド板６６によって挙動を規制されて、集積板３ｃ上に集積される。
【００６２】
他方、凹カール状の写真画像印刷物Ｐ１が下方投入口３ｂから印刷物排出ダクト６０の排出路６０ａ内に投入された場合、写真画像印刷物Ｐ１は第３ガイド板６９により下方へ案内される（図４参照）。写真画像印刷物Ｐ１はその後、その下端Ｐｔが低摩擦部材６８に当接し、当該下端Ｐｔが低摩擦部材６８上を内側壁６１側へ滑った後、平坦部７０へ達し、平坦部７０において下端Ｐｔを中心として回転して低摩擦部材６８上へ載置される（図５参照）。
【００６３】
また凸カール状の写真画像印刷物Ｐ２が下方投入口３ｂから印刷物排出ダクト６０の排出路６０ａ内に投入された場合、写真画像印刷物Ｐ２は第３ガイド板６９により下方へ案内される（図４参照）。写真画像印刷物Ｐ２はその後、その下端Ｐｔが高摩擦部材６４に当接し、当該下端Ｐｔを中心として回転して、低摩擦部材６８上に載置される（図５参照）。
【００６４】
その後、操作者は第１前面扉１２に設けられた開閉扉１２ｃを開くことにより、外側壁６２に設けられた取出口６３から一対の部材６８ａ、６８ｂからなる低摩擦部材６８上に載置された写真画像印刷物Ｐ１，Ｐ２を一対の部材６８ａ、６８ｂからなる低摩擦部材６８上で滑らせながら、容易に外方へ取出すことができる。
【００６５】
以上のように本実施の形態によれば、下方投入口３ｂから印刷物排出ダクト６０の排出路６０ａ内に投入された凹カール状の写真画像印刷物Ｐ１および凸カール状の写真画像印刷物Ｐ２の双方を回転させながら確実に低摩擦部材６８上に正しく載置させることができる。このため写真画像印刷物Ｐ１，Ｐ２が集積板３ｃ上で垂直方向を向いて集積されることはなく、集積板３ｃ上で写真画像印刷物Ｐ１，Ｐ２の集積不良が生じることもない。
【符号の説明】
【００６６】
２ａ，２ｂ  プリンタ
３  印刷物の排出機構
３ａ  上方投入口
３ｂ  下方投入口
３ｃ  集積板
１０  写真画像プリントシステム
１１  筐体
１２ａ  第１前面扉
１２ｂ  第２前面扉
１５  操作テーブル
１６  載置台
１７  凹部
２０  ＰＣ
６０  印刷物排出ダクト
６０ａ  排出路
６１  内側壁
６２  外側壁
６３  取出口
６４  高摩擦部材
６５  第１ガイド板
６６  第２ガイド板
６８  低摩擦部材
６８ａ  部材
６８ｂ  部材
６９  第３ガイド板
７０  平坦部
【図１】
2014122107.tif 000003
【図２】
2014122107.tif 000004
【図３】
2014122107.tif 000005
【図４】
2014122107.tif 000006
【図５】
2014122107.tif 000007
【図６】
2014122107.tif 000008
【図７】
2014122107.tif 000009